(57)【特許請求の範囲】
【請求項１】
術部を立体観察する鏡体と、
前記鏡体の観察像に画像を表示させる視野内表示手段及び又は画像重畳表示手段と、
前記視野内表示手段及び又は画像重畳表示手段に画像情報を表示する表示制御手段と、
前記表示制御手段と接続された生検監視モニターと、
前記生検監視モニターから出力される画像情報によって患者の状態を検出する比較演算部と、
を有し、
前記表示制御手段は、前記比較演算部の状態検出結果に基づいて、前記視野内表示手段及び又は画像重畳表示手段への前記画像情報の表示・非表示の制御を行なうことを特徴とする手術用顕微鏡。
【発明の詳細な説明】
【０００１】
【発明の属する技術分野】
この発明は、特に脳神経外科等で微細部位の手術に使用される手術用顕微鏡に関する。
【０００２】
【従来の技術】
従来、脳神経外科領域では、より微細な手術を確実に行うために、術部を立体で拡大観察する手術用顕微鏡が多く利用されている。さらに、近年では手術を確実に行なうため、手術用顕微鏡観察下のみで行なっていた従来の手術に、内視鏡観察が併用されており、手術用顕微鏡観察像と内視鏡観撮像とを手術用顕微鏡視野内で同時に観察できることが望まれている。また、内視鏡観撮像にとどまらず、術前のＣＴやＭＲの画像及び術中の神経モニター等の情報の同時観察も望まれている。
【０００３】
従来技術としては、例えば、特開平９−５６６６９号公報、特開平１１−２５８５１４号公報及び特願平１１−２８８３２８号が知られている。これらは、術部を観察する第１の観察手段としての顕微鏡観察像の視野内に第２の観察手段の観察像の少なくとも一部が表示され、顕微鏡観察像では観察できない死角部分や組織内部の状態を認識できるようにしたものである。すなわち、液晶フィルタを用いて顕微鏡観察像を遮蔽し、その遮蔽部分へ画像投影を行ない、任意の位置に画像表示可能としたものである。
【０００４】
【発明が解決しようとする課題】
しかしながら、前述した従来技術のものは、内視鏡観察のオリエンテーション操作中に、その画像表示自体が邪魔になったり、逆に大きな画像として観察することができない。
【０００５】
この発明は前記事情に着目してなされたもので、その目的とするところは、顕微鏡の死角を観察する内視鏡観察画像、ナビゲーション装置による顕微鏡、内視鏡観察位置の画像情報、さらには内視鏡観察方向等の画像情報を各々単独または任意に組み合わせて表示し、術者が手術状況に応じて画像情報が得られ、効率的に手術が遂行できる手術用顕微鏡を提供することにある。
【０００６】
【課題を解決するための手段】
この発明は、前記目的を達成するために、術部を立体観察する鏡体と、前記鏡体の観察像に画像を表示させる視野内表示手段及び又は画像重畳表示手段と、
前記視野内表示手段及び又は画像重畳表示手段に画像情報を表示する表示制御手段と、前記表示制御手段と接続された生検監視モニターと、前記生検監視モニターから出力される画像情報によって患者の状態を検出する比較演算部と、を有し、前記表示制御手段は、前記比較演算部の状態検出結果に基づいて、前記視野内表示手段及び又は画像重畳表示手段への前記画像情報の表示・非表示の制御を行なうことを特徴とする手術用顕微鏡である。
【０００７】
請求項２は、請求項１記載の手術用顕微鏡において、前記表示手段は、表示・非表示の制御のスレッシュホールドが設定可能であることを特徴とする。
【０００９】
前記構成によれば、操作入力手段の観察部選択及び表示選択を行なうことにより、顕微鏡観察視野内に顕微鏡の死角を観察する内視鏡画像及びナビゲーション画像を選択表示し、表示画面にモニターに表示された処置位置または手術用顕微鏡の観察位置に応じた断層画像、３次元構築画像等を選択的に表示でき、術者が手術状況に応じて画像情報が得られる。
【００１０】
【発明の実施の形態】
以下、この発明の各実施の形態を図面に基づいて説明する。
【００１１】
図１〜図８は第１の実施形態を示す。図１及び図２は手術用顕微鏡の接眼鏡筒の光学系の構成を示し、図１は双眼接眼鏡筒部の内部構成を示す図で、図２は、図１における側面図で、図中左側観察光学系を示している。
【００１２】
図１及び図２に示すように、鏡体（図示しない）の固定ハウジング７の内部には左右一対の結像レンズ８ａ，８ｂが配置されており、前記結像レンズ８ａ，８ｂは鏡体から出射される左右観察光束を入射させるベく、鏡体の観察光学系と光学的に接続されている。
【００１３】
また、９ａ，９ｂは前記結像レンズ８ａ，８ｂを介した光束を各々９０°外方に反射させるミラーで、その出射光軸上にはイメージローテータプリズム１０ａ，１０ｂが配置されている。前記イメージローテータプリズム１０ａ，１０ｂの後方には、両観察光束を各々１８０°反転させるプリズム１１ａ，１１ｂが配置されており、さらにその後方には前記プリズム１１ａ，１１ｂからの出射光軸を、後述する接眼光学系による観察光軸ＯＬ、ＯＲと並行方向に反射させる三角プリズム１２ａ，１２ｂが配置固定されている。三角プリズム１２ａ，１２ｂの後方には、前記結像レンズ８ａ，８ｂにより結像された第１の中間結像点１３ａ，１３ｂが位置する。
【００１４】
ここで、前記第１の中間結像点１３ａの近傍には後述する導光手段としてのプリズム１４ａ，１４ｂの上面が略一致するよう設けられるとともに、前記第１の中間結像点１３ａ，１３ｂの後方には像をリレーするリレーレンズ１５ａ，１５ｂが設置固定されている。ここで、前記プリズム１１ａ，１１ｂ、三角プリズム１２ａ，１２ｂ、リレーレンズ１５ａ，１５ｂは可動ハウジング１６内に内蔵されている。
【００１５】
前記可動ハウジング１６は、接続部１７ａ，１７ｂを介して軸Ｏ、すなわち前記プリズム１１ａ，１１ｂの入射光軸まわりに回転可能になっている。また、前記ローテータプリズム１０ａ，１０ｂは図示しないカム機構等により、前記可動ハウジング１６の固定ハウジング７に対する回転に対して１／２の角度だけ軸Ｏ中心に回転可能になっている。
【００１６】
また、符号１８ａ，１８ｂは入射反射面１９ａ，１９ｂと出射反射面２０ａ，２０ｂからなり、前記眼幅調整ハウジング４ａ，４ｂに内蔵された反射部材としての平行プリズムである。前記第１の中間結像点１３ａ，１３ｂから前記リレーレンズ１５ａ，１５ｂにより伝達された像は、前記平行プリズム１８ａ，１８ｂの出射反射面２０ａ，２０ｂから各々第２の中間結像点２１ａ，２１ｂに結像される。そして、前記接眼ハウジング５ａ，５ｂに内蔵された一対の接眼光学系２２ａ，２２ｂに導かれ、顕微鏡光学観察像として観察光軸ＯＲ、ＯＬを構成している。
【００１７】
ここで、前記眼幅調整ハウジング４ａ，４ｂは、前記可動ハウジング１６に対し三角プリズム１２ａ，１２ｂからの出射光軸（図中垂直方向）と略一致した軸周りに回転自在に支持され、また、図２に示すように、抜け止め部材２３ａ，２３ｂ（図２では２３ａのみ図示する。）により軸方向には前記可動ハウジング１６に対し不動に支持されている。本構造と前記平行プリズム１８ａ，１８ｂにより、いわゆるジーテントップ眼幅調整機構を構成している。
【００１８】
また、図３に示す鏡体４には、対物光学系２４と、変倍光学系２５と、接眼光学系とが内蔵され、各々左右一対の光路が設けられている。ここで、対物光学系２４には焦点可変機構及び焦点距離検出用センサが設けられている。さらに、変倍光学系２５には変倍機構及び変倍検出用センサが設けられている。
【００１９】
鏡体４にはハーフミラーからなる光路挿入手段２６及び画像挿入光学系２７が設けられ、この画像挿入光学系２７は画像重畳用モニター２８から出射した光束をアフォーカル光束にして光路挿入手段２６に入射させるようになっている。なお、２８ａは画像重畳用モニター２８に画像信号を送るためのケーブルである。
【００２０】
一方、図２に示すように、第１の観察光学系の外側には第２の観察光学系を収納する第２の接眼ハウジング３０が設けられている。第２の観察光学系は以下により構成されている。図中左側光路のみであるが、右側光路も同様の構成となっている。３１は図示しないコントローラからの制御により、内視鏡等の画像を電子画像として表示する小型ＬＣＤモニターで、前記眼幅調整ハウジング４ａの下方における可動ハウジング１６との間に配置固定されている。
【００２１】
３２，３３は前記ＬＣＤモニター３１からの出射光軸Ｏ２Ｌ上に配置されるリレー光学系で、その内部には該光軸Ｏ２Ｌを略９０°反射させる、プリズム３４が配置されている。
【００２２】
また、３５は前記プリズム３４によって反射せしめられた光軸を前記観察光軸ＯＬ方向に向かって偏向させるプリズムで、その出射光軸Ｏ２Ｌ上には、第２の接眼光学系３６が光学的に配置接続されており、前記観察光軸ＯＬとＯ２Ｌはその射出瞳位置近傍で各々交差している。
【００２３】
図４はＬＣＤ光学系の斜視図であり、符号２４ａ，２４ｂは、図示しないコントローラからの制御により、内視鏡等の画像を電子画像として表示する小型ＬＣＤモニターである。符号２５ａ，２５ｂは前記ＬＣＤモニター２４ａ，２４ｂの出射光軸上に配置される投影光学系としての結像レンズで、ＬＣＤモニター２４ａ，２４ｂの画像を前記プリズム１４ａ，１４ｂの上面に結像させるよう配置固定されている。これらＬＣＤモニター２４ａ、結像レンズ２５ａ、プリズム１４ａはＬＣＤ光学系２６ａを構成している。
【００２４】
ＬＣＤ光学系２６ａ，２６ｂの固定板２７Ａには前記ＬＣＤモニター２４ａ、結像レンズ２５ａ、プリズム１４ａからなるＬＣＤ光学系２６ａと同様な２６ｂが固定されている。前記固定板２７Ａには光束を避ける穴部２７ａが設けられている。前記固定板２７Ａは駆動手段としてのＸＹテーブル２８ａのＸテーブル２９ａ上に固定されており、前記Ｘテーブル２９ａは光軸と直交する平面をＸＹ方向に移動可能に設けられている。
【００２５】
図５はＸＹテーブル２８ａの内部構造を示す斜視図及び制御系のブロック図である。前記Ｘテーブル２９ａはラック部２９ａ’と軸受け部２９ａ”を備えている。ラック部２９ａ’にはモータ３０ａの回転軸に固定されたピニオンギア３１ａが噛み合っている。また、軸受け部２９ａ”にはガイド軸３２ａが貫通している。前記モータ３０ａとガイド軸３２ａは後述するＹテーブル３３ａに固定されている。
【００２６】
前記Ｙテーブル３３ａはラック部３３ａ’と軸受け部３３ａ”を備えている。
ラック部３３ａ’にはモータ３４ａの回転軸に固定されたピニオンギア３５ａが噛み合っている。また、軸受け部３３ａ”にはガイド軸３６ａが貫通している。
【００２７】
前記モータ３０ａとモータ３４ａはエンコーダを内蔵すると共に、後述する制御系と電気的に接続されている。すなわち、モータ３０ａはモータ駆動回路４１と接続され、エンコーダはＸテーブル位置検出回路４２に接続されている。また、モータ３４ａはモータ駆動回路４３と接続され、エンコーダはＸテーブル位置検出回路４４に接続されている。そして、モータ駆動回路４１、Ｘテーブル位置検出回路４２、モータ駆動回路４３及びＸテーブル位置検出回路４４はＸＹテーブル制御部４５に接続されている。
【００２８】
一方、５１は術者が操作する操作入力手段としての操作部であり、この操作部５１にはＸＹテーブル２８ａを操作するＸＹの４方向スイッチ５２、観察部選択スイッチ５３及び表示選択スイッチ５４が設けられている。
【００２９】
この操作部５１は表示制御部４６に接続されているとともに、この表示制御部４６には前記ＸＹテーブル制御部４５が接続されている。表示制御部４６は映像変換回路部３７及び視野内映像セレクタ３８に接続され、視野内映像セレクタ３８は内視鏡ＴＶカメラ５８及びナビゲーション装置５９に接続されている。映像変換回路部３７は表示駆動回路６５を介してＬＣＤモニター２４ａ及び表示駆動回路６６を介してＬＣＤモニター２４ｂに接続されている。
【００３０】
前記表示制御部４６には画像観察用映像セレクタ３９及びナビゲーション画像重畳用映像セレクタ４０が接続されている。画像観察用映像セレクタ３９は内視鏡ＴＶカメラ５８及びナビゲーション装置５９とも接続されており、ナビゲーション画像重畳用映像セレクタ４０はナビゲーション装置５９と接続されているとともに、神経モニター１００と接続されている。
【００３１】
画像観察用映像セレクタ３９は表示駆動回路６７を介してＬＣＤモニター７７ａに接続されているとともに、表示駆動回路６８を介してＬＣＤモニター７７ｂに接続されている。さらに、ナビゲーション画像重畳用映像セレクタ４０は表示駆動回路６９を介してナビゲーション装置５９の表示用モニター６９ａと接続されている。
【００３２】
図６は手術用顕微鏡装置のシステム全体構成を示す斜視図である。図６に示すように、手術用顕微鏡装置は実体顕微鏡を有する手術用顕微鏡１０１と、この手術用顕微鏡１０１の観察像とは異なる観察像を得る硬性鏡からなる内視鏡１２１と、手術用顕微鏡１０１及び内視鏡１２１の観察画像を表示させる表示手段としての表示用モニター１４１を備えている。
【００３３】
また、手術用顕微鏡１０１には架台１０２と、この架台１０２の上部に配設されたバランスアーム１０３と、このバランスアーム１０３に支持された鏡体１０４とが設けられている。
【００３４】
ここで、バランスアーム１０３には複数の可動アームと、６軸の回動軸１０５ａ〜１０５ｆとが設けられている。さらに、各回動軸１０５ａ〜１０５ｆにはバランスアーム１０３の各回動アームの回動位置を固定するロック状態と、この回動位置のロックを解除するロック解除状態とに切り換える電磁鎖錠（図示しない）が設けられている。そして、鏡体１０４の電磁鎖錠のロック／ロック解除の切り換え動作に伴いバランスアーム１０３の各回動アームの６軸の各回動軸１０５ａ〜１０５ｆを中心に空間的に位置移動自在に支持されている。
【００３５】
また、鏡体１０４には、センサアーム１０６と、この鏡体１０４の位置操作用のグリップ１０７とが設けられている。このグリップ１０７には焦点調整用、変倍操作用、アーム操作用の各操作スイッチが設けられている。
【００３６】
また、手術用顕微鏡１０１には鏡体制御部１１１及びアーム制御部１１２が内蔵されている。グリップ１０７の各スイッチには鏡体制御部１１１及びアーム制御部１１２に接続されている。さらに、これらの鏡体制御部１１１及びアーム制御部１１２にはグリップ１０７の各スイッチと同様に焦点調整用、変倍操作用の各スイッチを有するフットスイッチ１１３が設けられている。
【００３７】
また、前記内視鏡１２１は手術台（図示しない）に取り付けられたスコープホルダ１２２により支持されている。このスコープホルダ１２２は複数の可動アーム１２３を備えた多関節アームによって構成され、各可動アーム１２３間の関節部がそれぞれ回動可能に連結されている。そして、内視鏡１２１はこのスコープホルダ１２２によって移動自在に支持されている。
【００３８】
さらに、スコープホルダ１２２の各回動部にはスコープホルダ１２２の各可動アーム１２３の回動位置を固定するロック状態と、この回動位置のロックを解除するロック解除状態とに切り換える電磁鎖錠が設けられている。そして、内視鏡１２１はこのスコープホルダ１２２の電磁鎖錠のロック／ロック解除の切り換え動作に伴い移動可能に支持されている。
【００３９】
また、各回動部の電磁鎖錠は各々スコープホルダ駆動制御部１２４に接続されている。さらに、スコープホルダ１２２の先端部には電磁鎖錠操作用のスイッチ１２２Ａが設けられている。このスイッチ１２２Ａはスコープホルダ駆動制御部１２４に接続されている。さらに、内視鏡１２１にはＴＶカメラ１２５と、略Ｖ字状の内視鏡用センサアーム１２６とが取り付けられている。
【００４０】
また、手術用顕微鏡１０１及び内視鏡１２１の観察位置を検出する撮影装置としてのデジタイザ１３４が設けられている。このデジタイザ１３４は手術用顕微鏡１０１の鏡体１０４におけるセンサアーム１０６及び内視鏡１２１におけるセンサアーム１２６とを検出することにより、手術用顕微鏡１０１及び内視鏡１２１の観察位置を検出するようになっている。
【００４１】
デジタイザ１３４はナビゲーション装置５９が接続されている。このナビゲーション装置５９には診断画像用のメモリ装置が内蔵され、診断画像との相関処理手段も備えている。さらに、ナビゲーション装置５９には表示用モニター１４１と、インターフェースユニット１３６とが接続されている。そして、デジタイザ１３４による画像情報がナビゲーション装置５９に入力され、患者頭部に取り付けられた基準指標との相関をナビゲーション装置５９で算出するようになっている。
【００４２】
前述した構成によれば、術者は図示しない架台アームを操作して鏡体を所望の位置に配置固定し、さらに可動ハウジング１６を軸Ｏ周りに回転させ、術者の眼の位置に接眼光学系２２ａ，２２ｂを配置する。この時、固定ハウジング７内のイメージローテータプリズム１０ａ，１０ｂが可動ハウジング１６の軸Ｏまわりの回転に対して１／２の回転が行われる。
【００４３】
術部を発した光は、鏡体内の図示しない拡大光学系を介して、結像レンズ８ａ，８ｂに入射される。左右の光束はイメージローテータプリズム１０ａ，１０ｂを介すことで、可動ハウジング１６の軸Ｏまわりの回転による像の回転が補正される。その後、プリズム１１ａ，１１ｂ及び三角プリズム１２ａ，１２ｂで反射され、第１の中間結像点１３ａ，１３ｂにて結像する。
【００４４】
その後、リレーレンズ１５ａ，１５ｂにより伝達され、平行プリズム１８ａ，１８ｂにより反射された後、第２の中間結像点にて再度結像する。そして接眼光学系２２ａ，２２ｂに導かれ、術者によって所望の拡大倍率で立体観察が行われる。左右の観察光軸ＯＬ〜ＯＲ間の距離と術者の眼幅がずれていて立体観察できない場合は、接眼鏡筒４ａおよび４ｂを回転させることで、左右の観察光軸ＯＬ、ＯＲと術者の眼幅に合わせるいわゆる眼幅調整を行う。
【００４５】
一方、内視鏡観察像や、ＣＴ、ＭＲなどの画像を顕微像と同時に観察したい場合は、術者は操作部５１を操作して、ＬＣＤモニター２４ａ，２４ｂに表示させる。この時、ＬＣＤモニター２４ａ，２４ｂを発した光は結像レンズ２５ａ，２５ｂによりプリズム１４ａ，１４ｂの上面上にて結像される。プリズム１４ａ，１４ｂの上面は第１の結像点近傍にあるため図７に示すように顕微鏡観察視野Ｏ上に内視鏡画像Ｍが表示される。
【００４６】
すなわち、顕微鏡観察視野Ｏ上に内視鏡画像Ｍを表示する場合には制御部５１の表示選択スイッチ５４によって内視鏡ＴＶカメラ５８（内視鏡画像）とナビゲーション装置５９（ナビゲーション画像）を選択する。
【００４７】
また、表示選択スイッチ５４によって内視鏡ＴＶカメラ５８（内視鏡画像）を選択した状態で、操作部５１の観察部選択スイッチ５３をＯＮすると、４方向スイッチ５２がステップモードとなり、ＯＦＦするとフリーモードとなる。４方向スイッチ５２を選択的にＯＮ操作してＸＹテーブル２８ａを駆動する。４方向スイッチ５２の操作によりモータ駆動回路４１を介してモータ３０ａを駆動すると、ピニオンギア３１ａが回転する。前記Ｘテーブル２９ａはＹテーブル３３ａに固定されたガイド軸３２ａにより軸受け部２９ａ”が支持されており、ピニオンギア３１ａの回転力をラック部２９ａ’が受けることでガイド軸３２ａに沿ってＸ方向に動く。これによりＸテーブル２９ａ上に固定された固定板２７Ａも動き、プリズム１４ａが第１の中間結像点１３ａ上で動き、この結果、内視鏡画像ＭがＸ方向に動く。
【００４８】
４方向スイッチ５２の操作によりモータ駆動回路４３を介してモータ３４ａを駆動すると、ピニオンギア３５ａが回転する。Ｙテーブル３３ａはＸテーブル２９ａに固定されたガイド軸３６ａにより軸受け部３３ａ”が支持されており、ピニオンギア３５ａの回転力をラック部３３ａ’が受けることでガイド軸３６ａに沿ってＹ方向に動く。これによりＹテーブル３３ａ上のＸテーブル２９ａに固定された固定板２７Ａも動き、プリズム１４ａが第１の中間結像点１３ａ上で動き、この結果、内視鏡画像ＭがＹ方向に動く。
【００４９】
図７は顕微鏡観察視野Ｏを示す。操作部５１の観察部選択スイッチ５３及び表示選択スイッチ５４を操作し、顕微鏡観察視野Ｏ内に顕微鏡の死角を観察する内視鏡観察像Ｍ及び顕微鏡観察視野内にて観察される内視鏡１２１の像Ｐと、さらにナビゲーションによる内視鏡１２１の斜視方向（矢印）Ｒを選択表示し、表示画面にＬＣＤモニター２４ａ，２４ｂに表示された処置位置または手術用顕微鏡の観察位置に応じた断層画像、３次元構築画像を表示したものである。
【００５０】
すなわち、ＬＣＤモニター２４ａ，２４ｂの表示画面にはその時の３方向の断層画像（Ｓａｇｉｔａｌ  Ｃｏｒｏｎａｌ  Ａｘｉａｌの各断層画像情報）１４０ａ〜１４０ｃと、それらを基に作成される３次元構築画像（３Ｄ）１４０ｄとがそれぞれ表示される。この３次元構築画像１４０ｄは、顕微鏡観察位置検出に基づき、観察点、観察方向、さらには術前等のシミュレーション結果に従うターゲット（設定病変部）等の重畳画像である。なお、ＬＣＤモニター２４ａ，２４ｂの表示画面の側部には顕微鏡観察位置検出装置のデータ表示領域１４０ｅが配置されている。従って、顕微鏡の接眼光学系を覗くことにより術部の顕微鏡観察像とＬＣＤモニター２４ａ，２４ｂの表示画像が同時に観察できる。このとき、ＬＣＤモニター２４ａ，２４ｂには３次元構築画像１４０ｄが表示され、ＬＣＤモニター２４ａ，２４ｂの表示画像に（３Ｄ）の文字が表示される。
【００５１】
図８は顕微鏡観察視野Ｏを示し、操作部５１の観察部選択スイッチ５３及び表示選択スイッチ５４を操作し、顕微鏡観察視野Ｏ内にＬＣＤモニター２４ａ，２４ｂによる処置位置または手術用顕微鏡の観察位置に応じた断層画像と３次元構築画像及び内視鏡１２１による内視鏡画像Ｍ、さらにナビゲーション装置５９による術前診断画像による腫瘍の外形表示Ｓを選択表示した場合である。
【００５２】
顕微鏡観察視野Ｏ内にはＬＣＤモニター２４ａ，２４ｂの表示された画像、すなわち断層画像１４０ａ〜１４０ｃと３次元構築画像（３Ｄ）１４０ｄ及びＬＣＤモニター６９ａに表示された画像、すなわち内視鏡１２１の斜視方向（矢印）Ｒが重畳表示される。また表示画面にはその時の内視鏡観察像Ｍが表示される。
【００５３】
図９〜図１２は第２の実施形態を示し、神経モニター１００（脳神経の機能をチェックする術中診断機器）の波形を監視する手段を設け、その結果に従って顕微鏡観察視野Ｏ内に表示を行なうことができるようにしたものである。
【００５４】
図９は神経モニター監視のブロック図であり、設定入力部１５１は比較演算部１５２を介して映像変換部１５３に接続されている。神経モニター１００は比較演算部１５２及び映像変換部１５３と接続されているとともに、比較演算部１５２は映像変換部１５３と接続する表示制御部１５４と接続されている。
【００５５】
図１０は神経モニター表示フローチャートを示し、図１１は顕微鏡観察視野Ｏを示す。図１０に示すように、ステップＳ１で表示する状態の設定を行ない、ステップＳ２で単位時間当たりの振幅回数が減るか否かを見る。そして、ＹＥＳの場合、ステップＳ３に移り、監視モニター波形を表示する。ステップＳ２でＮＯの場合にはピーク値が設定以下となるか否かを見る。そして、ＹＥＳの場合、監視モニター波形を表示する。ステップＳ４でＮＯの場合にはステップＳ２に戻る。
【００５６】
図１１は顕微鏡観察視野Ｏ内に「ＮＥＲＶＥ」の文字が重畳表示され、電子画像に神経モニター１００の波形Ｑが表示された状態を示す。従って、顕微鏡の接眼光学系を覗くことにより手術用顕微鏡の観察位置に応じた断層画像、さらには３次元構築画像及び内視鏡１２１の像Ｐと同時に電子画像の監視モニター波形を観察できる。従って、脳神経等の付近の処置を行なう際にも、神経モニター１００による監視を容易にでき、確実な手術が遂行できる。
【００５７】
図１２は顕微鏡観察視野Ｏ内に内視鏡１２１の像Ｐと同時に神経モニター１００の波形Ｑが表示され、電子画像に手術用顕微鏡の観察位置に応じた断層画像、さらには３次元構築画像が表示された状態を示す。従って、顕微鏡の接眼光学系を覗くことにより手術用顕微鏡の観察位置に応じた断層画像、さらには３次元構築画像及び内視鏡１２１の像Ｐと同時に電子画像の監視モニター波形を観察できる。従って、脳神経等の付近の処置を行なう際にも、神経モニター１００による監視を容易にでき、確実な手術が遂行できる。
【００５８】
図１３及び図１４は第３の実施形態を示し、手術中に術者に直接指示を得るために、手術室で撮影する顕微鏡観察画像をカンファレンスルーム等へも送信し、ペンタッチで入力画像情報を手術室の顕微鏡の画像表示にて表示させることができるようにしたものである。
【００５９】
すなわち、図１３中、１５５は手術室であり、１５６はカンファレンスルームであり、壁１５７によって仕切られている。手術室１５５で撮影する顕微鏡観察画像はインターフェース１５８からカンファレンスルーム１５６の画像合成装置１５９を介してモニター１６０に送信され、図１４に示すように、モニター１６０に顕微鏡観察画像が表示される。画像合成装置１５９にはペン型入力具１６１が設けられ、モニター１６０にペンタッチで指示画像１６２を入力することにより、術者に指示をすることができる。従って、術者は経験豊富なドクターからの指示を簡単かつ的確に受けることができ、臨機応変な対応をも行なうことができる。
【００６０】
図１５〜図１７は第４の実施形態を示し、操作入力用のメニュー画面を顕微鏡視野内に表示させ、表示画像の選択操作を行なうようにしたものである。
【００６１】
図１５はメニュー操作フローチャートであり、図１６はＰｉｎＰへのメニュー表示状態を示し、図１７はメニュー重畳表示状態を示す。図１５に示すように、ステップＳ１で、例えばフットスイッチ等によってメニューＳＷがＯＮされたか否かを判断し、ＹＥＳの場合にはステップＳ２に進み、ステップＳ１でＮＯの場合にはスタートに戻る。ステップＳ２で、ＰｉｎＰが表示中であるか否かを判断する。ＹＥＳの場合にはステップＳ３に進み、重畳表示が表示中か否かを判断し、ＹＥＳの場合にはステップ４に進んでメニューを合成して重畳表示し、ＮＯの場合にはステップ５に進んでメニューを重畳表示する。
【００６２】
ステップＳ２でＮＯの場合にはステップＳ６に進んでＰｉｎＰにメニューを表示し、さらにステップＳ７に進んで操作によるカーソルを移動する。さらに、ステップＳ８で操作入力による表示変更を行なった後、ステップＳ９でＥＸＩＴ選択を行なって終了する。
【００６３】
従って、図１７に示すように、顕微鏡観察視野Ｏ内に「ＭＥＮＵ」の文字とともにメニュー内容と手術用顕微鏡の観察位置に応じた断層画像、さらには３次元構築画像が重畳表示され、電子画像には顕微鏡観察像が表示される。
【００６４】
このように術者自身が顕微鏡視野内のＰｉｎＰ、重畳画像、画像観察の表示選択操作を行なえるため、効率的に必要な画像情報の選択、表示、観察を行ないながら手術を遂行できる。
【００６５】
図１８〜図２０は第５の実施形態を示し、図１８は図３に示す鏡体の変形例を示す断面図、図１９は顕微鏡観察視野を示す図、図２０はバイポーラ処置装置のブロック図である。図１８に示すように、鏡体４内の光路に設けられた光路挿入光学系２６を挟んでＬＣＤモニター２８と反対側には結像レンズ１７０を介してＴＶカメラの撮像素子１７１が設けられている。
【００６６】
ＴＶカメラの撮像素子１７１によるＴＶカメラ撮像範囲１７２と画像重畳させる画像重畳範囲１７３とを異なる範囲とし、ＴＶカメラ撮像範囲１７２より画像重畳範囲１７３を大きく設定している。そして、ＴＶカメラにより撮影されない情報表示範囲１７４にＶＴＲでの録画状況の確認表示を行なうとともに、処置機器の情報を表示するようにしたものである。
【００６７】
処置機器としては、例えば図２０に示すバイポーラ１７５であり、このバイポーラ１７５はフットスイッチ１７６を有するコントローラ１７７に接続されている。コントローラ１７７はインターフェース１７８を介して表示制御部１７９に接続されている。また、ＶＴＲ１８０もインターフェース１８１を介して表示制御部１７９に接続されている。
【００６８】
このように構成することによってＶＴＲ１８０による録画時に、情報表示範囲１７４に「ＲＥＣ」の文字を表示し、ＴＶカメラ撮像範囲１７２にバイポーラ１７５の出力を表示することができる。
【００６９】
従って、顕微鏡の接眼光学系を覗くことにより顕微鏡観察視野内にＶＴＲでの記録状態、処置機器の状態を確認することができる。
【００７０】
前述した各実施の形態によれば、次のような構成が得られる。
【００７１】
（付記１）術部を立体観察する鏡体と、前記鏡体の左右の観察像に画像を表示させる視野内表示手段と、前記鏡体内に重畳表示を行なう画像重畳手段とを有する手術用顕微鏡において、前記視野内表示手段における各モニターと、画像観察手段における各モニターの表示制御用としてすべてのモニターに各々表示駆動手段を有し、各々の表示駆動手段の操作入力手段とを備えたことを特徴とする手術用顕微鏡。
【００７２】
（付記２）術部を立体観察する鏡体と、前記鏡体の左右の観察像に画像を表示させる視野内表示手段と、前記鏡体内に重畳表示を行なう画像重畳手段と、前記鏡体の接眼光学系と異なる画像観察手段とを有する手術用顕微鏡において、前記視野内表示手段における各モニター、画像観察手段における各モニター、画像重畳手段のモニターの表示制御用に、すべてのモニターに各々表示駆動手段を有し、各々の表示駆動手段の操作入力手段とを備えたことを特徴とする手術用顕微鏡。
【００７３】
（付記３）術部を立体観察する鏡体と、前記鏡体の左右の観察像に画像を表示させる視野内表示手段と、前記鏡体の光学観察像に重畳させる画像重畳手段と、前記鏡体の接眼光学系と異なる画像観察手段とを有する手術用顕微鏡において、前記視野内表示手段における各モニター、画像観察手段における各モニター、画像重畳手段のモニターの表示制御用に、各々表示駆動手段を有し、各々の表示画像を選択する画像セレクターと、選択された画像を対応するモニターへ表示すべく表示制御手段と、前記表示制御手段の操作入力手段とを備えたことを特徴とする手術用顕微鏡。
【００７４】
（付記４）前記表示駆動手段が、モニター駆動回路であることを特徴とする付記１，２または３記載の手術用顕微鏡。
【００７５】
（付記５）前記表示制御手段が、モニター駆動回路であることを特徴とする付記３記載の手術用顕微鏡。
【００７６】
（付記６）術部を立体観察する鏡体と、前記鏡体の左右の観察像に画像を表示させる視野内表示手段と、前記鏡体内に重畳表示を行なう画像重畳手段とを有する手術用顕微鏡において、前記視野内表示手段における各モニター、画像観察手段における各モニターの表示制御用として、すべてのモニターに各々表示駆動手段の操作入力手段と、生体監視モニターと接続される表示制御手段とを備えたことを特徴とする手術用顕微鏡。
【００７７】
（付記７）前記表示制御手段は、生体監視モニターからの信号の変化を検出する手段と、その結果により表示駆動手段に表示画像情報を送信し表示を行なうことを特徴とする付記６記載の手術用顕微鏡。
【００７８】
（付記８）前記生体監視モニターは、神経モニター装置であることを特徴とする付記６記載の手術用顕微鏡。
【００７９】
（付記９）前記表示制御手段は、神経モニターからの出力の変化を検出する手段と、その結果に応じて、重畳表示を行なう画像重畳手段に表示させることを特徴とする付記６記載の手術用顕微鏡。
【００８０】
（付記１０）術部を立体観察する鏡体と、前記鏡体内に重畳表示を行なう画像重畳手段と、前記鏡体の接眼光学系からなる画像観察手段とを有する手術用顕微鏡において、前記画像観察手段における各モニターと、画像重畳手段におけるモニターへの表示制御用として、すべてのモニターに各々表示駆動手段を有し、各々の表示駆動手段の操作入力手段と、前記顕微鏡観察像を撮像する手段と、その撮影画像への合成手段と、その合成手段の出力を接続するインターフェースとを備えたことを特徴とする手術用顕微鏡。
【００８１】
（付記１１）術部を立体観察する鏡体と、前記鏡体の左右の観察像に画像を表示させる視野内表示手段と、前記鏡体内に重畳表示を行なう画像重畳手段とを有する手術用顕微鏡において、前記視野内表示手段における各モニターと、画像観察手段における各モニターの表示制御用として、すべてのモニターに各々表示駆動手段を有し、各々の表示駆動手段の操作入力手段と、操作入力手段の状態を表示する操作用画像を構成する手段とを備えたことを特徴とする手術用顕微鏡。
【００８２】
（付記１２）前記表示制御部は、視野内表示手段の表示に応じて前記操作用画像を表示する手段を選択することを特徴とする付記１１記載の手術用顕微鏡。
【００８３】
（付記１３）術部を立体観察する鏡体と、前記鏡体内に重畳表示を行なう画像重畳手段と、前記鏡体に設けた撮像光学系とを有する手術用顕微鏡において、顕微鏡観察像に対する前記画像重畳手段における表示範囲と前記撮像光学系による撮影範囲とが異なることを特徴とする手術用顕微鏡。
【００８４】
（付記１４）前記画像重畳手段における表示範囲は、前記撮像光学系による撮影範囲より大きいことを特徴とする付記１３記載の手術用顕微鏡。
【００８５】
【発明の効果】
以上説明したように、この発明によれば、顕微鏡の死角を観察する内視鏡観察画像、ナビゲーション装置による顕微鏡、内視鏡観察位置の画像情報、さらには内視鏡観察方向等の画像情報を各々単独または任意に組み合わせて表示し、術者が手術状況に応じて画像情報が得られ、効率的に手術が遂行できるという効果がある。
【図面の簡単な説明】
【図１】この発明の第１の実施形態を示し、手術用顕微鏡の双眼接眼鏡筒部の光学構成を示す図。
【図２】同実施形態を示し、図１における図中左側観察光学系を示す側面図。
【図３】同実施形態の鏡体の縦断面図。
【図４】同実施形態を示し、ＬＣＤ光学系の斜視図。
【図５】同実施形態を示し、ＸＹテーブルの斜視及び制御系のブロック図。
【図６】同実施形態を示し、手術用顕微鏡システムの全体構成図。
【図７】同実施形態を示し、顕微鏡観察視野の作用説明図。
【図８】同実施形態を示し、顕微鏡観察視野の作用説明図。
【図９】この発明の第２の実施形態を示す神経モニター監視ブロック図。
【図１０】同実施形態を示し、監視モニター表示のフローチャート図。
【図１１】同実施形態を示し、顕微鏡観察視野の作用説明図。
【図１２】同実施形態を示し、顕微鏡観察視野の作用説明図。
【図１３】この発明の第３の実施形態を示すブロック図。
【図１４】同実施形態の顕微鏡観察視野の作用説明図。
【図１５】この発明の第４の実施形態を示すフローチャート図。
【図１６】同実施形態のメニュー表示を示す図。
【図１７】同実施形態の顕微鏡観察視野の作用説明図。
【図１８】この発明の第５の実施形態を示す鏡体の縦断面図。
【図１９】同実施形態の顕微鏡観察視野の作用説明図。
【図２０】同実施形態のブロック図。
【符号の説明】
２４ａ，２４ｂ，７７ａ，７７ｂ，６９ａ…ＬＣＤモニター
６５，６６，６７，６８，６９…表示駆動回路
５１…操作部（操作入力手段）
【図１】
0004754674.tif 000002
【図２】
0004754674.tif 000003
【図３】
0004754674.tif 000004
【図４】
0004754674.tif 000005
【図５】
0004754674.tif 000006
【図６】
0004754674.tif 000007
【図７】
0004754674.tif 000008
【図８】
0004754674.tif 000009
【図９】
0004754674.tif 000010
【図１０】
0004754674.tif 000011
【図１１】
0004754674.tif 000012
【図１２】
0004754674.tif 000013
【図１３】
0004754674.tif 000014
【図１４】
0004754674.tif 000015
【図１５】
0004754674.tif 000016
【図１６】
0004754674.tif 000017
【図１７】
0004754674.tif 000018
【図１８】
0004754674.tif 000019
【図１９】
0004754674.tif 000020
【図２０】
0004754674.tif 000021